(57)【要約】      （修正有）【課題】全身を波状にマッサージすることができるとともに、身体を左右にひねることによるマッサージ効果を得ることのできるエアーマッサージ装置を提供する。【解決手段】マット本体の長手方向に沿って配列された複数のエアーバッグＢ１〜Ｂ１６と、エアーを供給するコンプレッサ４０と、このコンプレッサ４０と複数のエアーバッグＢ１〜Ｂ１６とを連通させてエアーを給気させるとともにその連通を切り換えていくエアー分配装置と、このエアー分配装置を制御して複数のエアーバッグＢ１〜Ｂ１６を順次に給気させていく制御回路５０とを備えたエアーマッサージ装置であって、マット本体の長手方向と直交する方向に配置された対のエアーバッグＢ１７,Ｂ１８を設け、複数のエアーバッグＢ１〜Ｂ１６をマットの長手方向に沿って順次膨縮させるとともに、隣どうしのエアーバッグの給気時間の一部をラップさせ、対のエアーバッグＢ１７,Ｂ１８は交互に膨縮させる。【選択図】  図６
2005246074.tif 000002
【特許請求の範囲】
【請求項１】
マット本体の長手方向に沿って配列された複数のエアーバッグと、エアーを供給するエアー供給装置と、このエアー供給装置と前記複数のエアーバッグとを連通させてエアー供給装置からこれらのエアーバッグへエアーを給気させるとともにその連通を切り換えていくエアー分配装置と、このエアー分配装置の切り換えを制御して複数のエアーバッグを順次に給気させていく制御装置とを備え、前記エアー供給装置は、エアーを給気していないエアバッグの排気を行うようになっているエアーマッサージ装置であって、
前記マット本体の長手方向と直交する方向に配置された対のエアーバッグを設け、
前記複数のエアーバッグをマットの長手方向に沿って順次膨縮させていくとともに、隣どうしのエアーバッグの給気時間の一部をラップさせ、
前記対のエアーバッグは交互に膨縮させることを特徴とするエアーマッサージ装置。
【請求項２】
前記対のエアバッグが前記複数のエアーバッグの上に重ねて設けられていることを特徴とする請求項１に記載のエアーマッサージ装置。
【発明の詳細な説明】
【技術分野】
【０００１】
この発明は、マット本体に複数のエアーバックを設けたエアーマッサージ装置に関する。
【背景技術】
【０００２】
従来から、マット本体に長方形状のエアーバックを複数配置し、そのエアーバックを順番に膨張・収縮させていくエアーマッサージ装置が知られている（特許文献１参照）。
【０００３】
このようなエアーマッサージ装置にあっては、足から肩に向けてあるいは肩から足に向けてエアーバックを順番に膨張・収縮させていくことにより全身をマッサージしていくことができるようになっている。
【特許文献１】特開平６−１２５９４９号公報
【発明の開示】
【発明が解決しようとする課題】
【０００４】
しかしながら、このようなエアマッサージ装置にあっては、足から肩、首に向けて、あるいは、肩、首から足に向けて上記複数のエアーバッグを順番に膨張・収縮させることにより、全身を波状にマッサージすることはできるものの、身体を左右にひねるようなマッサージの効果を得ることができなかった。
【０００５】
この発明の目的は、全身を波状にマッサージすることができるとともに、身体を左右にひねることによるマッサージ効果を得ることのできるエアーマッサージ装置を提供することにある。
【課題を解決するための手段】
【０００６】
請求項１の発明は、マット本体の長手方向に沿って配列された複数のエアーバッグと、エアーを供給するエアー供給装置と、このエアー供給装置と前記複数のエアーバッグとを連通させてエアー供給装置からこれらのエアーバッグへエアーを給気させるとともにその連通を切り換えていくエアー分配装置と、このエアー分配装置の切り換えを制御して複数のエアーバッグを順次に給気させていく制御装置とを備え、前記エアー供給装置は、エアーを給気していないエアバッグの排気を行うようになっているエアーマッサージ装置であって、
前記マット本体の長手方向と直交する方向に配置された対のエアーバッグを設け、
前記複数のエアーバッグをマットの長手方向に沿って順次膨縮させていくとともに、隣どうしのエアーバッグの給気時間の一部をラップさせ、
前記対のエアーバッグは交互に膨縮させることを特徴とする。
【発明の効果】
【０００７】
この発明によれば、全身を波状にマッサージすることができるとともに、身体を左右にひねることによるマッサージ効果を得ることができる。
【発明を実施するための最良の形態】
【０００８】
以下、この発明に係るエアマッサージ装置の実施の形態である実施例を図面に基づいて説明する。
【実施例】
【０００９】
図１および図２に示すエアマッサージ装置１０は、マット本体１１を備えており、このマット本体１１の一端側（左端）には枕１２が着脱可能に装着され、その他端側（右端）には機械部１３が形成されている。
【００１０】
このマット本体１１は、図３ないし図５に示すように、２つ折りに曲げることができ、足をマット本体１１に固定するベルト１５によってマット本体１１を２つ折りにした状態に固定することができ、マット本体１１の側部１１Ａに設けた把手部１６によってマット本体１１を２つ折りにした状態で持ち運びができるようになっている。また、マット本体１１の側部１１Ａには電源コード１７とリモコン装置１８とが接続されている。マット本体１１の後端面１１Ｂには電源スイッチＳ1を設けたパネル１９が取り付けられている。
【００１１】
マット本体１１は、図６ないし図９に示すように、前後方向に延び且つプラスチック段ボール製で可撓性のあるベースボード２０と、このベースボード２０上に取り付けられたエアーバックＢ1〜Ｂ16と、このエアーバックＢ13〜Ｂ16上に配置されたエアーバックＢ17,Ｂ18と、これらエアーバックＢ1〜Ｂ18の上に載置されたヒータマットＨＭと、これらベースボード２０,エアーバックＢ1〜Ｂ16およびヒータマットＨＭ等を覆った袋状のカバーＭＣ（図１参照）等とから構成されている。カバーＭＣは表面が起毛されたポリエステル等から構成されている。図８において、ＭＫはヒータマット２１の上に取り付けられたクッション材であり、このクッション材ＭＫはヒータマットＨＭに設けたヒータ線(図示せず)が腰などに違和感を与えるのを防止するためのものである。
【００１２】
図６ないし図８に示すように、ベースボード２０の一側には一対の金属製のサイドフレーム２１,２１が所定距離離間して取り付けられており、同様に、その他側にも一対の金属製のサイドフレーム２２,２２が所定距離離間して取り付けられている。これらの離間によりマット本体１１の２つ折りが可能となっている。なお、サイドフレーム２１,２２はマット本体１１のベースボード２０の側縁に沿って延びている。また、サイドフレーム２１は、図１０および図１１に示すように、断面Ｌ字形に形成されているとともにそのＬ字形の基部２１ＡがネジＮ1によってベースボード２０の裏面に固定されている。サイドフレーム２２も同様であり、その説明は省略する。
【００１３】
各サイドフレーム２１,２１,２２,２２には、これらに沿って延びる樹脂製のフレーム２３,２３,２４,２４が側縁部構造体としてそれぞれ取り付けられている。このフレーム２３,２４は樹脂を中空に成形することにより形成した成形品（成形部材）からなる。各フレーム２３,２４の互いに対向する側には、マット本体１１の左右方向のセンター側に開放する凹部（ホース配設溝）２３Ａ,２４Ａ(図示せず)がそれぞれ形成されている。この凹部２３Ａ,２４Ａを設けることによりフレーム２３,２４は断面形状がコ字状となっている。
【００１４】
また、各フレーム２３,２４の上部の外側は大きなＲ状の曲面に形成されている。これにより、フレーム２３,２４を足で踏んでも、足が痛くなるようなことはない。フレーム２３,２４は、サイドフレーム２１,２２およびベースボード２０の側端部に複数の紐状のインシュロックタイ（バインディング部材）２５によって固定されている。各インシュロックタイ２５はベースボード２０に設けた各孔２０Ｐにそれぞれ通されて結ばれている。このインシュロックタイ２５は紐状でも帯状でもよい。
【００１５】
また、このインシュロックタイ２５は、凹部２３Ａ,２４Ａの開口を部分的に閉塞して、各フレーム２３,２４の凹部２３Ａ,２４Ａ内に配置したエアーホース束ＨＡ（ＨＢ）がその凹部２３Ａ,２４Ａから出るのを防止している。また、エアーホース束ＨＡ（ＨＢ）が凹部２３Ａ,２４Ａ内に入っていることにより上から踏みつけてしまうことがない。
【００１６】
ヒータマットＨＭの端部には弾性を有するゴムヒモ２６が固定されており、このゴムヒモ２６がインシュロックタイ２５に取り付けられている。これは、エアバックＢ1〜Ｂ18の膨張・収縮によってヒータマットＨＭが上下動する際にヒータマットＨＭに加わるストレスをゴムヒモ２６の伸縮によって吸収するとともに、ヒータマットＨＭの前後左右のずれをそのゴムヒモ２６によって防止するものである。
【００１７】
フレーム２３,２３の上には、各フレーム２３,２３の上を手で触ったときの硬い感触を和らげるために１つのサイドクッション部材２７が貼り付けられている。フレーム２４,２４の上にも同様に１つのサイドクッション部材２７が貼り付けられている。
【００１８】
エアーバックＢ1は、図１２に示すように、左右方向に長い袋体Ｂａと、この袋体Ｂａの一端に設けた口部Ｂｂに取り付けた給排気口（給気口）としてのＬ字管３０と、袋体Ｂａの一側に設けた一対の取付部３１,３１とを備えている。各取付部３１には一対の孔３１ａが形成されている。他のエアーバックＢ2〜Ｂ18も同様な構成となっており、その形状や大きさもエアーバックＢ1と同一となっている。
【００１９】
エアーバックＢ1〜Ｂ16は、取付部３１をネジなどによりベースボード２０に固定することによって取り付けられており、図６に示すように、マット本体１１の長手方向に沿って配列されるとともに、その長手方向と直交する方向に並設されている。しかも、各エアーバックＢ1〜Ｂ16の向きが交互に反対方向に向けられている。また、各エアーバックＢ1〜Ｂ16の取り付けピッチは、エアバックＢの幅Ｗより小さく設定され、各エアーバックＢ1〜Ｂ16の一部が互いに重なり合っている。
【００２０】
各エアーバックＢ1〜Ｂ16の口部Ｂｂに取り付けたＬ字管３０はその口部Ｂｂに対して回動可能となっている。これは、Ｌ字管３０の凹部(図示せず)が口部Ｂｂの凹部３２に合わせられていて回動可能となっており、その凹部３２に巻き付けたインシュロックタイ３３によってＬ字管３０が口部Ｂｂからの抜けを防止している。また、Ｌ字管３０の回動により、エアーバックＢ1〜Ｂ16の防縮の際にエアーバックＢ1〜Ｂ16に加わるストレスを吸収する。
【００２１】
各エアーバックＢ1〜Ｂ16の口部ＢｂのＬ字管３０には図１６に示すようにエアーホースＨ1〜Ｈ16の一端が接続されている。このエアーホースＨ1,Ｈ3…Ｈ15の他端がマット本体１１の機械部１３に設けた第１ロータリバルブ４１の給気口(図示せず)にそれぞれ接続されている。また、エアーホースＨ2,Ｈ4…Ｈ16の他端がマット本体１１の機械部１３に設けた第２ロータリバルブ４２の給気口(図示せず)にそれぞれ接続されている。
【００２２】
そして、エアーホースＨ1,Ｈ3…Ｈ15はいくつか（または場所によって全部）が集まって上述のホース束ＨＡを構成してフレーム２３の凹部２３Ａ内に配設され、エアーホースＨ2,Ｈ4…Ｈ16はいくつか（または場所によって全部）が集まって上述のホース束ＨＢを構成してフレーム２４の凹部２４Ａ内に配設されている。なお、エアーホース束ＨＡ（ＨＢ）は場所によってＨ1,Ｈ3…Ｈ15（エアーホースＨ2,Ｈ4…Ｈ16）の集合数が異なるので、図１０では説明の便宜上各エアホースＨ1〜Ｈ18の符号を省略して、エアーホース束ＨＡ（ＨＢ）として説明している。
【００２３】
エアーバックＢ17,Ｂ18は、ベースボード２０の左右方向のセンターに対して左右対称に配置されているとともに、他のエアーバックＢ1〜Ｂ16と直交する方向に配置されている。このエアーバックＢ17,Ｂ18は、この実施形態では人体背部配置位置に対応しているが、人体腰部位置に対応させて配置してもよい。
【００２４】
また、図１３および図１４に示すように、エアーバックＢ17の取付部３１,３１とエアーバックＢ18の取付部３１,３１とが重ね合わせられている。そして、インシュロックタイ３５が取付部３１,３１の孔３１ａ,３１ａに挿通されているとともにフレクシブルな固定補助板３６の孔(図示せず)に挿通されている。このインシュロックタイ３５は、両端部が互いに結合されて締め付けられ、エアーバック１７,１８をベースボード２０の左右方向のセンター近傍の部分に固定している。また、固定補助板３６はエアーバックＢ13〜Ｂ16の上に載置されている。固定補助板３６の裏面には、図１５に示すように、固定補助板３６と同材質の固定板３７の後部３７Ａがインシュロックタイ３８によって固定されている。
【００２５】
エアーバックＢ17,Ｂ18のＬ字管３０は枕１２と反対側の端部にもうけられている。このため、Ｌ字管３０で発生する給排気音の騒音は、使用者の耳から遠のくことになり、その騒音は小さく聞こえることになる。
【００２６】
固定板３７は、後部３７Ａから前方（図１５において左方向）に向けて斜め下方に延びた傾斜部３７Ｂと、この傾斜部３７Ｂから前方へ延びた先端部３７Ｃとを有し、傾斜部３７ＢがエアーバックＢ15とエアーバックＢ16との間に配置され、先端部３７ＣがエアーバックＢ16の取付部３１,３１間の下側を通ってベースボード２０にネジＮ2によって固定されている。
【００２７】
このように、固定板３７の先端部３７ＣがエアーバックＢ16の取付部３１,３１間の下側を通っており、しかも傾斜部３７ＢがエアーバックＢ15とエアーバックＢ16との間に配置されいるので、固定板３７がエアーバックＢ16の膨縮を規制してしまうことが防止され、強い押圧力が要求される首部をエアーバックＢ16の膨張によって充分に押圧することが可能となる。また、固定板３７および固定補助板３６は、幅が狭く形成されており、しかもフレクシブルとなっているので、エアーバックＢ13〜Ｂ15の防縮の規制が最小限に抑えられている。
【００２８】
マット本体１１の機械部１３には図示しないケースが設けられており、このケース内にはエア給排気装置Ｑが配設されてい。このエア給排気装置Ｑは、図６に示すように、エアポンプである一個のコンプレッサ（エアー供給装置）４０と、エアー切換手段である２つの第１,第２ロータリバルブ４１,４２と、電磁弁４３,４４と、回路基板４５とを備えている。回路基板４５にはコンプレッサ４０、第１,第２ロータリバルブ４１,４２、電磁弁４３,４４を制御する制御回路（制御装置）５０（図１６参照）が設けられている。そして、第１,第２ロータリバルブ４１,４２と電磁弁４３,４４とによってエアー分配装置が構成されている。
【００２９】
コンプレッサ４０は、図１６に示すように、電磁弁４３を介して第１ロータリバルブ４１に連通し、電磁弁４４を介して第２ロータリバルブ４２に連通している。
【００３０】
第１ロータリバルブ４１は、９つの給気口４１ａ〜４１ｈ,４１ｉと、図示しないパルスモータによって回転駆動される回転体（回転弁）とを有している。９つの給気口４１ａ〜４１ｈ,４１ｉにはエアーホースＨ1,Ｈ3…Ｈ15,Ｈ17の一端がそれぞれ接続されている。エアーホースＨ1,Ｈ3…Ｈ15,Ｈ17の他端はエアーバックＢ1,Ｂ3…Ｂ15,Ｂ17にそれぞれ接続されている。第１ロータリバルブ４１の回転体(図示せず)は回転することにより、電磁弁４３に連通する給気口４１ａ〜４１ｈ,４１ｉを順次切り換えていくようになっている。この切換により、コンプレッサ４０から吐出される圧縮空気は、電磁弁４３,給気口４１ａ〜４１ｉを介してエアーバックＢ1,Ｂ3…Ｂ15,Ｂ17に順次供給されるようになっている。
【００３１】
また、回転体は、電磁弁４３を連通した給気口４１ａ〜４１ｉ以外の給気口はエアーホースＨ1,Ｈ3…Ｈ17を介して外気と連通し、外気に連通した給気口に対応したエアーバックＢ1,Ｂ3…Ｂ17が排気状態となる。例えば、電磁弁４３が回転体により給気口４１ａに連通されると、エアーバックＢ1にエアーが給気されてエアーバックＢ1が膨張していき、他のエアーバックＢ3…Ｂ17は排気される。
【００３２】
第２ロータリバルブ４２は、上記と同様に９つの給気口４２ａ〜４２ｈ,４２ｉと、図示しないパルスモータによって回転駆動される回転体（回転弁）とを有している。９つの給気口４２ａ〜４２ｈ,４２ｉにはエアーホースＨ2,Ｈ4…Ｈ16,Ｈ18の一端がそれぞれ接続されている。エアーホースＨ2,Ｈ4…Ｈ16,Ｈ18の他端はエアーバックＢ2,Ｂ4…Ｂ16,Ｂ18にそれぞれ接続されている。第２ロータリバルブ４２の回転体(図示せず)は回転することにより、電磁弁４４に連通する給気口４２ａ〜４２ｈ,４２ｉを順次切り換えていくようになっている。この切換により、コンプレッサ４０から吐出される圧縮空気は、電磁弁４４,給気口４２ａ〜４２ｉを介してエアーバックＢ2,Ｂ4…Ｂ16,Ｂ18に順次供給されるようになっている。
【００３３】
また、回転体は、電磁弁４４を連通した給気口４２ａ〜４２ｉ以外の給気口はエアーホースＨ2,Ｈ4…Ｈ18を介して外気と連通し、外気に連通した給気口に対応したエアーバックＢ2,Ｂ4…Ｂ18が排気状態となる。例えば、電磁弁４４が回転体により給気口４２ａに連通されると、エアーバックＢ2にエアーが給気されてエアーバックＢ2が膨張していき、他のエアーバックＢ4…Ｂ18は排気される。
【００３４】
リモコン装置１８は、図１７に示すように、操作部１８Ａに電源スイッチ５１と、防縮するエアーバック（Ｂ1〜Ｂ16）が足から首へ移動するＡコースと、首から足へ移動するＢコースのいずれかを選択するコーススイッチ５２と、全身,上半身,下半身のマッサージの範囲を選択する選択スイッチ５３と、さすりモードを選択するさすりスイッチ５４と、ひねりモードを選択するひねりスイッチ５５と、エアーバックＢ1〜Ｂ16の内の１つを選択するポイントスイッチ５６と、エアーバックＢ1〜Ｂ16の内の４つを選択する部分スイッチ５７と、マッサージの強弱を設定する強さスイッチ５８と、身長に合わせてエアーバックＢ1〜Ｂ16の防縮範囲を３段階に切り換える切換スイッチ５９と、ヒータスイッチ６０とが設けられている。
【００３５】
次に、上記のように構成されるエアマッサージ装置の動作について説明する。
【００３６】
まず、電源スイッチ５１を投入するとコンプレッサ４０が駆動される。そして、例えばコーススイッチ５２によりＡコースを設定し、選択スイッチ５３により全身を選択し、さすりスイッチ５４によりさすりモードを設定すると、電磁弁４３が開成されてロータリバルブ４１の切換によりエアーバックＢ1と電磁弁４３とが連通され（このとき電磁弁４４は閉成されている）、エアーバックＢ1のみに給気が行われエアーバックＢ1が膨張していく。
【００３７】
そして、図１８に示すように、エアーバックＢ1の給気期間（給気時間）Ｔ1の途中の時点ｔ1で電磁弁４４が開成されるとともにロータリバルブ４１の切換によりエアーバックＢ2と電磁弁４４とが連通され、エアーバックＢ2に給気が行われてエアーバックＢ2が膨張していく。
【００３８】
給気期間Ｔ1が時点ｔ2で終了すると第１ロータリバルブ４１の回転体が回転されていくとともに電磁弁４３が閉成されてエアーバックＢ1の給気が停止される。そして、第１ロータリバルブ４１の回転体の回転中は全てのエアーバックＢ1,Ｂ3…Ｂ17は外気と連通されるので、この回転中エアーバックＢ1の排気が行われていく。第１ロータリバルブ４１の切換えが完了した後、すなわち、エアーバックＢ2の給気期間（給気時間）Ｔ2（＝Ｔ1）の途中の時点ｔ3で電磁弁４３が開成され、この電磁弁４３とエアーバックＢ3が連通されてエアーバックＢ3が膨張されていく。この電磁弁４３とエアーバックＢ3が連通しているとき、他のエアーバックＢ1,Ｂ5…Ｂ17は外気と連通されるので、エアーバックＢ1の排気は続行されることになる。
【００３９】
そして、給気期間Ｔ2が時点ｔ4で終了すると、第２ロータリバルブ４２の回転体が回転されていくとともに電磁弁４４が閉成され、エアーバックＢ2の給気が停止されるとともにエアーバックＢ2の排気が行われていく。第２ロータリバルブ４２の切換えが完了した後、すなわち、エアーバックＢ2の給気期間Ｔ1の途中の時点ｔ5で電磁弁４４が開成され、この電磁弁４４とエアーバックＢ4が連通されてエアーバックＢ4が膨張されていく。このとき、他のエアーバックＢ2,Ｂ6…Ｂ16は排気される。
【００４０】
以後、これら動作が繰り返し行われていき、エアーバックＢ1〜Ｂ16が順番に膨張されていくとともにこの膨張後収縮されていくので、これらエアーバックＢ1〜Ｂ16の防縮によって波が形成され、この波が足から首に向けて移動していくことになる。各エアーバックＢ1〜Ｂ16の取り付けピッチは、エアバックＢの幅より小さく設定され、各エアーバックＢ1〜Ｂ16の一部が互いに重なり合っているので、その波の移動がスムーズに行われる。
【００４１】
ところで、この実施形態よれば、エアーバックＢを収縮させた後に次のエアーバックＢを膨張させておらず、しかも、エアーバックＢ1,Ｂ3…Ｂ15の給気期間Ｔ1とエアーバックＢ2,Ｂ4…Ｂ16の給気期間Ｔ2とを一部ラップさせているので、その波の移動速度はかなり速いものとなる。このため、全身を手でさすっていくようなさすり効果を十分に得ることができる。
【００４２】
また、各エアーバックＢの給気時間Ｔ1を、エアバックＢが膨張したときに身体が持ち上がる高さが１０mm以下になるように設定すると、身体全体に弱いリズミカルな刺激を与えることができ、より治癒力を高めることができる。
【００４３】
また、この実施形態によれば、第１,第２ロータリバルブ４１,４２の切換動作を期間Ｔ3,Ｔ4（＝Ｔ3）内に行うようにしている。すなわち、第１,第２ロータリバルブ４１,４２の切換動作の時間を期間Ｔ3,Ｔ4より短く設定しており、このため、次の給気動作に移行できるように第１,第２ロータリバルブ４１,４２は待機することができ、このため、その給気動作に速やかに移行することができる。また、第１,第２ロータリバルブ４１,４２の切換動作を給気期間Ｔ3,Ｔ4内に行うようにしているので、第１,第２ロータリバルブ４１,４２の切換時のロスがなくなり、エアーバックＢ1〜Ｂ16の防縮のスピードをアップさせることができる。
【００４４】
さらに、第１,第２ロータリバルブ４１,４２と電磁弁４３,４４とでエアー分配装置を構成しているので、そのエアー分配装置の構成が簡単なものとなる。
【００４５】
次に、上記のさすりモードとひねりモードを設定すると、エアバックＢ15,Ｂ16の防縮が行われた後、電磁弁４３が開成されるとともに電磁弁４４が閉成されて、第１ロータリバルブ４１の切換によってエアーバックＢ17に給気が行われる。この際、第２ロータリバルブ４２の回転体は全てのエアーバックＢ2,Ｂ4…Ｂ18が排気となる位置に回転移動される。
【００４６】
エアーバックＢ17に給気が行われると、エアーバックＢ17は膨張していく。エアーバックＢ17の膨張により使用者の身体がエアーバックＢ18側に回動する一方、使用者の体重によりエアーバックＢ18の排気が行われる。
【００４７】
また、エアーバックＢ17は給気により膨張していくが、その給気時間はさすりモードの給気期間Ｔ1,Ｔ2よりも長く設定されているため、エアーバックＢ17は最大限まで膨張されていく。また、エアーバックＢ17はマット本体１１のセンター側が固定されているので、エアーバックＢ17のフリー側が大きく膨張していく。この結果、上半身がエアーバックＢ18側へ大きくひねられていく。この膨張後、電磁弁４３が閉成され、電磁弁４４が開成され、第２ロータリバルブ４２の切換によってエアーバックＢ18に給気が行われていく。このとき、第１ロータリバルブ４１の回転体は全てのエアーバックＢ1,Ｂ3…Ｂ17が排気となる位置に移動される。
【００４８】
エアーバックＢ18も上記と同様に最大限まで膨張されていき、このエアーバックＢ18もマット本体１１のセンター側が固定されていることにより、エアーバックＢ18のフリー側が大きく膨張していき、上記と反対側へ上半身が大きくひねられていく。
【００４９】
この後、さすりモードに入り、さすりモードとひねりモードが繰り返し行われていく。
【００５０】
図１９は第２実施形態のタイムチャートを示したものである。この第２実施形態によれば、互いに隣接するエアーバックＢ1,Ｂ3…Ｂ15の給気期間Ｔ1と給気期間Ｔ1との間の期間Ｔ6を、エアーバックＢ2,Ｂ4…Ｂ16の給気期間Ｔ2に一致させたものである。このようにしても、エアーバックＢ1〜Ｂ16の防縮によって形成される波の移動速度を速くすることができる。
【００５１】
また、上記実施形態では、第１,第２ロータリバルブ４１,４２を使用しているが、複数の電磁弁を使用してエアーバックＢ1〜Ｂ18にエアの給排気が行われるようにしてもよい。
【図面の簡単な説明】
【００５２】
【図１】この発明に係るエアマッサージ装置を示した平面図である。
【図２】図１のエアマッサージ装置の側面図である。
【図３】マット本体を２つ折りに折り曲げた状態を示した説明図である。
【図４】２つ折りにしたマット本体をベルトによって固定した状態を示した説明      図である。
【図５】図４に示すマット本体を持ち運ぶときの状態を示した説明図である。
【図６】カバーとヒータマットを省略したマット本体の平面図である。
【図７】図６に示すマット本体の側面図である。
【図８】カバーを省略したマット本体を示した平面図である。
【図９】図８に示すマット本体の側面図である。
【図１０】フレームの取り付け状態を示した断面図である。
【図１１】フレームの取り付け状態を示した斜視図である。
【図１２】エアーバックを示した平面図である。
【図１３】図６に示すマット本体の一部拡大図である。
【図１４】固定板補助板に取り付けたエアーバックを示した平面図である。
【図１５】固定板とエアーバックの配置関係を示した説明図である。
【図１６】エアーマッサージ装置の主要部の構成を示したブロック図である。
【図１７】リモコン装置を示した平面図である。
【図１８】エアーバックの給気期間を示したタイムチャートである。
【図１９】第２実施形態のエアーバックの給気期間を示したタイムチャートである。
【符号の説明】
【００５３】
１１            マット本体
４０            コンプレッサ
４１            第１ロータリバルブ
４２            第２ロータリバルブ
４３            電磁弁
４４            電磁弁
５０            制御回路
Ｂ１〜Ｂ１６    エアーバッグ
Ｂ１７,Ｂ１８   エアーバッグ
【図１】
2005246074.tif 000003
【図２】
2005246074.tif 000004
【図３】
2005246074.tif 000005
【図４】
2005246074.tif 000006
【図５】
2005246074.tif 000007
【図６】
2005246074.tif 000008
【図７】
2005246074.tif 000009
【図８】
2005246074.tif 000010
【図９】
2005246074.tif 000011
【図１０】
2005246074.tif 000012
【図１１】
2005246074.tif 000013
【図１２】
2005246074.tif 000014
【図１３】
2005246074.tif 000015
【図１４】
2005246074.tif 000016
【図１５】
2005246074.tif 000017
【図１６】
2005246074.tif 000018
【図１７】
2005246074.tif 000019
【図１８】
2005246074.tif 000020
【図１９】
2005246074.tif 000021